(57)【要約】【課題】  青果物や海産物等の取り扱いにも好適であるとともに、軽量に構成される物品収納排出用ボックスを提供する。【解決手段】  フォークリフト車のフォークの係止部１２、２６を備える金属製底枠２と、金属製底枠２上に載置固定される周壁部構成用のプラスチック製側枠体３と、金属製底枠２に開閉可能に取り付けられる底蓋４とからなることを特徴とする物品収納排出用ボックス。【選択図】図１
2010111432.tif 000002
【特許請求の範囲】
【請求項１】
底蓋が開閉可能に設けられた物品収納排出用ボックスにおいて、
周壁部をプラスチックス製の側枠体により形成してなることを特徴とする物品収納排出用ボックス。
【請求項２】
フォークリフト車のフォークの係止部を備える金属製底枠と、
前記金属製底枠上に載置固定される周壁部構成用のプラスチック製側枠体と、
前記金属製底枠に開閉可能に取り付けられる底蓋と、
からなることを特徴とする物品収納排出用ボックス。
【請求項３】
前記底蓋の開閉機構がユニット化され、それが前記側枠体の外面に装着されてなる請求項１または２記載の物品収納排出用ボックス。
【請求項４】
前記金属製底枠に、前記プラスチックス製側枠体の外面に沿うように位置して前記プラスチックス製側枠体を補強する金属製補強部が取り付けられてなる請求項２記載の物品収納排出用ボックス。
【請求項５】
前記金属製補強部の上端の前記プラスチックス製側枠体の上縁より突出する部分がフォークリフト車のフォークの係止部とされてなる請求項４記載の物品収納排出用ボックス。
【発明の詳細な説明】
【技術分野】
【０００１】  この発明は、フォークリフト車やクレーンにより移動可能で、底蓋が開かれることで内部に収納される物品を排出可能な物品収納排出用ボックスに関する。
【背景技術】
【０００２】  この種物品収納排出用ボックスは多量の物品の収納が可能であり、また、フォークリフト等で移動することで所望の部所にその物品を排出できる点において、例えば、廃棄物処理等において便利に用いられており、最近では青果物や海産物等の食料物品の収納、移動等にもひろく用いられるようになっている。
【発明の開示】
【発明が解決しようとする課題】
【０００３】  しかしながら従来の物品収納排出用ボックスは、全体が鉄製であるので食料物品を扱うのには衛生面上、また、見た目にも好ましくなかった。くわえて、鉄製であることでその全体重量が大きく製品の搬送や使用の移動に際して手間がかかるという基本的な問題点があった。【０００４】  この発明は、上記の事情に鑑みて行ったもので、食料物品等の取り扱いに好適であるとともに軽量である物品収納排出用ボックスを提供することを目的とする。
【課題を解決するための手段】
【０００５】  請求項１の発明では、底蓋が開閉可能に設けられた物品収納排出用ボックスにおいて、周壁部をプラスチックス製の側枠体により形成してなることを特徴とする物品収納排出用ボックスを提供する。請求項２の発明では、フォークリフト車のフォークの係止部を備える金属製底枠と、前記金属製底枠上に載置固定される周壁部構成用のプラスチック製側枠体と、前記金属製底枠に開閉可能に取り付けられる底蓋とからなることを特徴とする物品収納排出用ボックスを提供する。【０００６】  上記それぞれの発明の構成によれば、物品を収納する周壁部を形成する側枠体がプラスチックス製とされることで、物品の収納部が汚れにくいとともに汚れが付いた際には洗浄により除去しやすく、さらに、金属の場合のような錆も発生しないので衛生的であって、また、見た目も清潔なものとなる。さらに、側枠体がプラスチックス製とされていることで全体重量が従来のものの５０〜７０％に軽量化される。【０００７】  それぞれの発明において底蓋の開閉機構をユニット化しそれを側枠体の外面に装着する構成とすることで組み立てが容易になされるとともに、また、その作動が安定したものとなり、さらに、側枠体をそのままにして開閉機構部分のみの取り換え等を行える。【０００８】  とくに、請求項２の発明においては、底枠はフォークを係止するので強度が必要であるとともに形状が複雑となるのでプラスチックの成形によっては製造が困難で、したがって、金属製とされることで構成が安定し、かつ、製造が容易になされる。【０００９】  金属製底枠にプラスチックス製側枠体の外面に沿うように位置してプラスチックス製側枠体を補強する金属製補強部を取り付けることでより安定した構成が得られる。くわえてその金属製補強部の上端のプラスチックス製側枠体の上縁より突出する部分をフォークリフト車のフォークの係止部とすることで、別途フォーク係止部を設ける手間が省け、製造が容易、かつ、安価に行える。さらに、そのフォークの係止部は物品収納排出用ボックスを段積みする際のストッパーとなって安定した段積みを可能とする。【００１０】  底蓋もプラスチックスとすることにより物品収納部を衛生的にでき、かつ、さらなる軽量化も可能となるが、底枠と同様の理由により金属製とされてもよく、その場合は収納部内面を形成する部分はステンレス製とされることが衛生面に好ましい。
【発明の効果】
【００１１】  請求項１、２の発明によれば、食品等の取り扱いに好適であるとともに軽量である物品収納排出用ボックスが得られ、とくに、請求項２の発明によれば構成が安定し、かつ、製造が容易になされる物品収納排出用ボックスが得られる。
【発明を実施するための最良の形態】
【００１２】  図１はこの発明の物品収納排出用ボックスの正面図、図２は同一方側の側面図、図３は平面図、図４は縦方向断面図である。【００１３】  物品収納排出用ボックス１は、方形の鉄製底枠２と、その上部に載置固定される周壁部構成用のプラスチック製の側枠体３と、鉄製底枠２に取り付けられ下部開口を開閉するステンレス製の底蓋４とからなる。【００１４】  鉄製底枠２は、角パイプよりなる方形下枠６上に、側枠体３載置用のコ字型鋼よりなる方形取り付け枠８が溶接により固定されて構成されている。取り付け枠８にはその内側の適宜位置に補強用リブ７のそれぞれが設けられている。取り付け枠８の後部両端には下方に突出するように一対の側パネル１０が溶接により取り付けられるとともに、それらの間には上部が取り付け枠８の下面に溶接されることでフォークの差し入れ部ともなる後部脚１２が取り付けられ、さらに、両端が上記側パネル１０に固定状態に軸支されて蝶番軸１４が水平に配置されている。蝶番軸１４は一方側が底枠２の下部に固定され、他方側が底蓋４の後縁部に固定され、底枠２に対して底蓋４の後部を回転可能に軸支している。側パネル１０のそれぞれにはバックパネル１１それぞれが一体に固着されその下部の傾斜面部１３の内面に緩衝部材１５が取り付けられている。【００１５】  側枠体３はポリプロピレン樹脂よりなる一体成形品で、下部において外方に突出する取り付け縁１６がボルト１８により取り付け枠８上に固定されて鉄製底枠２上に取り付けられている。【００１６】  ２０のそれぞれはフォーク係止部材（金属製補強部）で鉄棒がコ字型に折り曲げられて形成されており、その二股に分かれる下端のボルト部２３それぞれが取り付け枠８上に固定され、その上部の内側に溶接固定された固定具２２が側枠体３の上縁周囲部に嵌め込まれ皿ネジ２１により固定されている。フォーク係止部材２０は取り付けられた状態において側枠体３の上面より上方に突出する部分がフォーク係止開口（フォークの係止部）２４を構成している。フォーク係止部材２０は側枠体３の周囲に沿って位置することで側枠体３の膨らみ変形を抑えて補強機能も果たし、また、複数の物品収納排出用ボックス１を段積みする際のストッパーともなる。また、フォーク係止部材２０は下部と上部の２箇所において側枠体３側に強固に固定されるので、フォーク係止開口２４へフォークを差し入れての吊り下げ使用も安定して行われる。なお、吊り下げに際してはフォーク係止部材２０が固定される取り付け枠８の上側片に力がかかるが補強用リブ７が設けられていることで取り付け枠８は変形等することがない。【００１７】  底蓋４の前側と両側には下方に突出するように溶接によりフォークの差し入れ部ともなる前部脚２６と側部脚２８とのそれぞれが取り付けられ、さらに上面の両側部近傍にはガイドプレート３０のそれぞれが上方に突出するように立設されている。また、底蓋４の前側両端には端板３２のそれぞれが固定されており、その外面にはフック受け金具３４のそれぞれが回転可能に突設されているとともに、端板３２それぞれの前端下部には車輪３６のそれぞれが取り付けられている。また底蓋４の後部両端下側には上記の緩衝部材１５それぞれに対応するＬ字型の当り金具３８それぞれが溶接により取り付けられている。【００１８】  物品収納排出用ボックス１の一方側の側面には、図５に示す底蓋４の開閉機構５０が設けられている。開閉機構５０は、先端のフック５２と、フック５２上部に連結固定される連結レバー５４と、連結レバー５４上部に前端が回転可能に連結されるスライドレバー５６と、スライドレバー５６の後端に回転可能に連結される固定片５８と、固定片５８の受け具６０と、スライドレバー５６のスライド穴５７に係止連動する操作レバー６２とからなる。フック５２と連結レバー５４との接続固定部には前側下枠６のパイプ内に配置される回転シャフト７０の一端が固定され、その他端側には他方側のフック５３が連結固定され、これによりフック５２、５３のそれぞれは回転シャフト７０の回転に伴って同期作動するようになっている。回転シャフト７０は下枠６のパイプの両端設けられる軸支部に回転可能に軸支されて設けられている。【００１９】  ６４はコイルバネで、その一端がスライドレバー５６の途中部に係止され、他端は側枠体３面に固定装着される鉄製プレート６５面に係止され、これによりスライドレバー５６を前方側に移動するように付勢している。受け具６０は鉄製プレート６５に取り付けられ、操作レバー６２はその途中の内面側に突出形成される係止突起（図に現れない）がスライドレバー５６のスライド穴５７に係入する状態において、下端が下枠６に回転可能に軸支されて設けられている。操作レバー６２の端部、固定片５８の端部それぞれには操作ひも６６，６７のそれぞれが取り付けられている。６９はスライドレバー５６部分を覆うように設けられる鉄製カバーである。【００２０】  上記のように開閉機構５０を鉄製プレート６５に予め一体としてユニット化し側枠体３の外面に組み込み配置することで、組み立てが容易になされるとともに、また、その作動が安定したものとなり、さらに、側枠体３をそのままにして開閉機構５０部分のみの取り換え等を行える利点もある。【００２１】  上記開閉機構５０による底蓋４の開閉動作を説明する。底蓋４が閉じられた状態においてフォーク係止部材２０の係止開口２４にフォークリフト車のフォークが前後方向に差し入れられ、これにより物品収納排出用ボックス１は吊り下げ状態とされる。例えば、内部に多数の果物が納められた状態でフォークリフト車により吊り下げ状態とされて運ばれ、所定の位置においてその果物を排出する際に底蓋４が開かれる。その開き操作は、まず操作ひも６７を引くことで図２、図５に示すように固定片５８の端部を持ち上げて受け具６０から外す。次に操作ひも６６を引いて操作レバー６２を後方に引く。固定片５８が受け具６０に係止している状態では操作レバー６２が後方に引くことができないようにしていることで、操作レバー６２が不意に動いて底蓋４が開くことがないようにしている。【００２２】  操作レバー６２が後方に引かれると、スライド穴５７の後部に係止突起が係止していることでスライドレバー５６はコイルバネ６４の付勢力に抗して後方にスライド移動し、これによりその先端が連結レバー５４の上端を後方に引っ張る。その際、スライドレバー５６と連結レバー５４との連結が回転可能とされていることで��れらが互いに拡開し、かつ、連結レバー５４とフック５２との連結固定部に固定される回転シャフト７０が回転することでフック５２、５３は開く。この開き動作はフック受け金具３４が回転可能であることでスムーズになされる。フック５２、５３が開くと底蓋４は自重でその前側が下降して開き、傾斜状態となった底蓋４面上より両側のガイドプレート３０を案内として所定位置に果物等が排出される。底蓋４が開く際にはＬ字型の当り金具３８それぞれが緩衝部材１５それぞれに当ることでその衝撃が緩和され、また、その当たり状態において底蓋４は所定角度の開き状態を維持する。【００２３】  開かれた底蓋４は、物品収納排出用ボックス１がその吊り下げ状態において他の位置に移動され下降されることで自動的に閉じられる。すなわち、下降されることで始めに傾斜状態の底蓋４の前端の車輪３６それぞれが接地し、さらに下降されることで車輪３６が回転するとともにその前端側が相対的に押し上げられ、フック受け金具３４がフック５２の下部の傾斜部に当たった状態でさらに押し上げられることでフック受け金具３４がコイルバネ６４の付勢力に抗してフック５２を押し開き、これによりフック５２がフック受け金具３４に係止した状態となって底蓋４は閉じ状態に固定され、フック５３も係止状態となる。
【図面の簡単な説明】
【００２４】
【図１】  この発明の物品収納排出用ボックスの実施形態の前面図
【図２】  この発明の物品収納排出用ボックスの実施形態の一方側側面図
【図３】  この発明の物品収納排出用ボックスの実施形態の平面図
【図４】  この発明の物品収納排出用ボックスの実施形態の縦方向断面図
【図５】  この発明の物品収納排出用ボックスの底蓋開閉機構の構成図
【符号の説明】
【００２５】  １    物品収納排出用ボックス
２    底枠
３    側枠体
４    底蓋
２０  フォーク係止部材（金属製補強部）
２４  フォーク係止開口（フォークの係止部）
５０  開閉機構
【図１】
2010111432.tif 000003
【図２】
2010111432.tif 000004
【図３】
2010111432.tif 000005
【図４】
2010111432.tif 000006
【図５】
2010111432.tif 000007